(57)【要約】  旋削ツール（１）は、ツールボディ（２）と、旋削インサート（３）と、を含む。旋削ツール（１）は、インサートシート（４）を含む。インサートシート（４）には、旋削インサート（３）が載置される。インサートシート（４）は、底面（５）と、側面（６）と、を含む。側面（６）は、第１の面（１３）と、第２の面（１４）と、を含む。第１の面（１３）は、接触面（１９）を含む。当該接触面（１９）は、旋削インサート（３）の側面（９）の一部位と接触する。ツールボディ（２）は、クーラントチャネル（１０）を含む。クーラントチャネル（１０）は、クーラントチャネル入口（２６）と、旋削インサート（３）の側面（９）とインサートシート（４）の側面（６）の第１の面（１３）との間のボイド（２４）に連通するクーラントチャネル出口（１１）と、の間を伸長する。【選択図】図３
2021517072.tif 000002
【特許請求の範囲】
【請求項１】
ツールボディ（２）と、旋削インサート（３）と、を含む旋削ツール（１）であって、
前記旋削ツール（１）は、インサートシート（４）を含み、前記インサートシート（４）には、前記旋削インサート（３）が載置され、
縦方向軸（Ａ１）が、後端（１６）から前端（１７）まで伸長し、
前記インサートシート（４）は、底面（５）と、側面（６）と、を含み、
前記側面（６）は、第１の面（１３）と、第２の面（１４）と、を含み、
前記第１及び第２の面（１３、１４）は、角度（β）を互いに対して形成し、
前記旋削インサート（３）は、上面（７）と、反対側の底面（８）と、前記上面及び前記底面（７、８）を接続する側面（９）と、を含み、
前記旋削インサート（３）の前記底面（８）は、前記インサートシート（４）の前記底面（５）と接触し、
前記第１の面（１３）は、接触面（１９）を含み、
前記接触面（１９）は、前記旋削インサート（３）の前記側面（９）の一部位と接触し、
前記ツールボディ（２）は、クーラントチャネル（１０）を含み、
前記クーラントチャネル（１０）は、クーラントチャネル入口（２６）と、クーラントチャネル出口（１１）と、の間を伸長し、
前記クーラントチャネル出口（１１）は、前記旋削インサート（３）の前記側面（９）と、前記インサートシート（４）の前記側面（６）の前記第１の面（１３）と、の間のボイド（２４）に連通することを特徴とする、旋削ツール（１）。
【請求項２】
前記クーラントチャネル出口（１１）は、部分的に、又は、完全に、前記第１の面（１３）に形成されている、請求項１に記載の旋削ツール（１）。
【請求項３】
前記チャネル出口（１１）は、前記旋削インサート（３）の前記側面（９）から、０．１から２．０ｍｍである距離分だけ離れている、請求項１又は２に記載の旋削ツール（１）。
【請求項４】
前記インサートシート（４）の前記側面（６）は、第３の面（１５）を含み、
前記第１の面（１３）は、前記第３の面（１５）に対向している、請求項１から請求項３のいずれか一項に記載の旋削ツール（１）。
【請求項５】
前記接触面（１９）から、前記旋削インサート（３）の前記上面（７）までの距離は、前記接触面（１９）から、前記旋削インサート（３）の前記底面（８）までの距離より短い、請求項１から請求項４のいずれか一項に記載の旋削ツール（１）。
【請求項６】
前記接触面（１９）は、前記ボイド（２４）に隣り合う、請求項１から請求項５のいずれか一項に記載の旋削ツール（１）。
【請求項７】
前記クーラントチャネル出口（１１）から、前記旋削インサート（３）の前記底面（８）までの距離は、前記クーラントチャネル出口（１１）から、前記旋削インサート（３）の前記上面（７）までの距離より短い、請求項１から請求項６のいずれか一項に記載の旋削ツール（１）。
【請求項８】
前記縦方向軸（Ａ１）から、前記第１の面（１３）までの距離は、前記縦方向軸（Ａ１）から、前記第２及び第３の面（１４、１５）のそれぞれまでの距離より長く、
前記クーラントチャネル出口（１１）は、前記第１の面（１３）に形成されている、請求項１から請求項７のいずれか一項に記載の旋削ツール（１）。
【請求項９】
前記クーラントチャネル出口（１１）は、クーラントストリームを、前記後端（１６）から離れ、前記インサートシート（４）の前記底面（５）から離れる方向へ向けるよう配置されている、請求項１から請求項８のいずれか一項に記載の旋削ツール（１）。
【請求項１０】
前記旋削ツール（１）は、シム（１２）を含み、
前記インサートシート（４）の前記底面（５）は、前記シム（１２）の上面により画定される、請求項１から請求項９のいずれか一項に記載の旋削ツール（１）。
【請求項１１】
前記旋削インサート（３）は、その中心軸（Ａ２）を中心に、対称、又は、実質的に対称に配置されており、
前記中心軸（Ａ２）は、前記上面及び前記底面（７、８）に交差し、
前記縦方向軸（Ａ１）から、前記インサートシート（４）の前記第１の面（１３）までの距離は、前記縦方向軸（Ａ１）から、前記旋削インサート（３）の前記中心軸（Ａ２）までの距離より長く、
前記インサートシート（４）の前記第１の面（１３）は、前記旋削インサート（３）の前記中心軸（Ａ２）に対向している、請求項１から請求項１０のいずれか一項に記載の旋削ツール（１）。
【請求項１２】
前記ツールボディ（２）は、その幅が、前記後端（１６）から離れる方向へ狭くなっているように、上面図において、テーパ状となっている部位（２２）を含み、
前記部位の境界面は、前記インサートシート（４）の前記第１の面（１３）である、請求項１から請求項１１のいずれか一項に記載の旋削ツール（１）。
【請求項１３】
前記旋削インサート（３）の前記上面（７）は、突起（２３）を含み、前記突起は、前記旋削インサート（３）の前記側面（９）から離れており、前記旋削インサート（３）の前記底面（８）から、前記突起（２３）までの距離は、前記旋削インサート（３）の前記底面（８）から、前記旋削インサート（３）の前記上面（７）と前記側面（９）との間の交差部までの距離より長い、請求項１から請求項１２のいずれか一項に記載の旋削ツール（１）。
【請求項１４】
請求項１から請求項１３のいずれか一項に記載の旋削ツール（１）を提供することと、
金属ワークピース（２０）を提供することと、
前記金属ワークピース（２０）を、その回転軸（Ｒ１）を中心に回すことと、
前記旋削ツール（１）の縦方向軸（Ａ１）を、前記金属ワークピース（２０）の前記回転軸（Ｒ１）に鉛直に設定することと、
クーラントをクーラントチャネル（１０）に供給し、クーラントストリームが、クーラントチャネル出口（１１）から、旋削インサート（３）の側面（９）へ向けられるようにし、前記クーラントストリームが、インサートシート（４）の第１の面（１３）へそれるようにすることと、
前記旋削ツール（１）を、前記回転軸（Ｒ１）に平行、又は、実質的に平行な方向へ動かし、加工された表面（２１）が、前記旋削インサート（３）の一部位により形成され、前記旋削ツール（１）の前記縦方向軸（Ａ１）が、形成された、前記加工された表面（２１）の前にあるようにすることと、を含む、旋削方法。
【請求項１５】
前記旋削インサート（３）の切り込み角（α）を、少なくとも３°であるが、３０°を超えないよう設定することをさらに含む、請求項１４に記載の旋削方法。
【発明の詳細な説明】
【技術分野】
【０００１】
本発明は、金属切削の技術分野に関する。より具体的には、本発明は、コンピュータ数値制御（ｃｏｍｐｕｔｅｒ  ｎｕｍｅｒｉｃａｌ  ｃｏｎｔｒｏｌ又はＣＮＣ）機械などの機械での金属切削のために使用される旋削ツールの分野に関する。
【背景技術】
【０００２】
本発明は、請求項１のプリアンブルに係る旋削ツールに言及する。換言すると、本発明は、ツールボディと、旋削インサートと、を含む旋削ツールに関する。旋削ツールは、インサートシートを含む。インサートシートには、旋削インサートが載置される。縦方向軸が、後端から前端まで伸長する。インサートシートは、底面と、側面と、を含む、側面は、第１の面と、第２の面と、を含む。第１及び第２の面は、角度を互いに対して形成する。旋削インサートは、上面と、反対側の底面と、上面及び底面を接続する側面と、を含む。旋削インサートの底面は、インサートシートの底面と接触する。旋削インサートの側面の一部位は、インサートシートの側面と接触する。ツールボディは、クーラントチャネルを含む。クーラントチャネルは、クーラントチャネル入口とクーラントチャネル出口との間を伸長する。
【０００３】
そのような旋削ツールは、ＥＰ３１５３２６１Ａ１から知られる。ここでは、旋削ツールは、ツールボディに形成されたインサートシートに載置された旋削インサートを含む。クーラントチャネルは、図８に示すように、インサートシートから離れている、旋削インサートの下のクーラントチャネル出口まで提供されてよい。当該旋削ツールは、図２に示すように、縦方向の旋削に好適に使用され、したがって、加工された表面を形成する。
【０００４】
上記の旋削ツール及び加工方法は、顕著にポジティブな利益を提供することがわかっているが、発明者達は、改善された旋削ツールの必要性があることを見いだした。特に、発明者達は、長時間、特に、長時間の切削中の、３００ｍｍを超える長さを有するシャフトなどの、縦方向の旋削に使用できる旋削ツールの必要性があることを見いだした。
【発明の概要】
【０００５】
本発明の目的は、長時間、特に、長時間の切削中の縦方向の旋削に使用できる、改善された旋削ツールを提供することである。
【０００６】
本目的は、はじめに画定された旋削ツールと共に達成される。これは、クーラントチャネル出口が、旋削インサート（３）の側面と、インサートシートの側面の第１の面と、の間のボイドに連通することを特徴とする。
【０００７】
そのような旋削ツールにより、発明者達は、インサートシートの塑性変形のリスクが減り、したがって、旋削ツール、特にツールボディを使用できる時間が延びることを見いだした。
【０００８】
そのような旋削ツールにより、温度が、インサートシートのもの、特に、接触面の温度となる。したがって、ツールボディが、ある材料であって、その材料の降伏強度が、温度の上昇と共に下がる材料である場合に、ツールボディの変形のリスクが減る。
【０００９】
旋削ツールは、回っている金属ワークピースの縦方向の旋削、つまり、送り方向が、金属ワークピースの回転軸に平行な旋削に適している。当該旋削ツールは、好ましくは、回っている金属ワークピースの回転軸に鉛直し、それから離れ、縦方向軸が、当該回転軸に鉛直する方向での旋削にも適している。換言すると、旋削ツールは、ノーズ切削エッジに隣り合う第１の切削エッジを使用する縦方向の旋削に適しており、好ましくは、（アウトフェイシング）加工される金属ワークピースの回転軸に鉛直し、それから離れる方向での、ノーズ切削エッジに隣り合う第２の切削エッジを使用する旋削に適している。ここでは、ノーズ切削エッジは、第１及び第２の切削エッジの間にあり、これらを接続する。旋削ツールの縦方向軸は、金属ワークピースの回転軸に鉛直する。
【００１０】
旋削ツールは、好ましくは、スチール製のツールボディと、好ましくは、焼結炭化物、サーメット、又は立方晶窒化ホウ素などの耐摩耗材料製の旋削インサートと、を含む。旋削ツールは、金属ワークピースの加工に適している。
【００１１】
旋削ツールは、インサートシートを含む。これは、インサートポケットとしても知られる。ここでは、旋削インサートは、スクリュ、又は、クランプ、又は、レバーなどを用いて、取り外し可能に載置又はクランプされる。
【００１２】
旋削ツールは、好ましくは、正確に１つのインサートシートを含む。
【００１３】
旋削ツールの後端は、接続部であり、これは、ＣＮＣ旋盤などの加工ツールの加工インターフェースへの接続に適している。後端は、テーパ状の多角形を有してよく、フランジを含んでよい。後端は、断面図において、正方形状であってよい。
【００１４】
縦方向軸は、後端から前端へ向けて伸長する。縦方向軸は、後端の、つまり、接続部の幾何学的中心軸である。
【００１５】
縦方向軸から、旋削の遠位部までの距離は、縦方向軸から、ツールボディの遠位部までの距離より長い。そのような旋削ツールにより、アウトフェイシングが可能である。
【００１６】
インサートシートは、前端へ向けて開いている。
【００１７】
インサートシートは、底面と、側面と、を含む。底面の少なくとも一部位と、側面の少なくとも一部位と、のそれぞれは、旋削インサートと接触するための接触面又は支持面である。インサートシートの底面は、ツールボディの一部位であってよい。代替的に、底面は、シム又はシムプレートの上面の形態であってよい。そのようなシム又はシムプレートは、好ましくは、焼結炭化物製である。
【００１８】
側面は、第１の面と、第２の面と、を含む。第１及び第２の面は、角度を互いに対して形成する。当該角度は、好ましくは、５０°から１６０°、さらにより好ましくは、１００°から１５０°である。第１及び第２の面のそれぞれは、好ましくは、接触面又は支持面を含む。側面は、好ましくは、ツールボディの一部である。
【００１９】
旋削インサートは、上面と、反対側の底面と、上面及び底面を接続する側面と、を含む。上面は、すくい面を含む。上面は、好ましくは、１つ又はそれ以上の突起又は凹みの形態の切り屑ブレイキング手段を、好ましくは含む。側面は、逃げ面を含む。上面及び側面の間の交差部は、切削エッジを形成する。旋削インサートの底面は、平らであってもよく、又は、平らでなくともよく、この底面は、インサートシートの底面と接触する。
【００２０】
旋削インサートの上面は、上面図において、好ましくは、１２０°対称、又は、１８０°対称である。
【００２１】
第１の面は、接触面を含む。当該接触面は、旋削インサートの側面の一部位と接触する。換言すると、旋削インサートの側面は、少なくとも１つ、好ましくは２つの支持面を含む。好ましくは、旋削インサートの側面は、第２の面の一部位と接触する。
【００２２】
旋削インサートの側面は、上面から底面まで、途切れることなくつながっている。換言すると、旋削インサートの側面は連続する面であり、つまり、いずれの貫通孔がない。
【００２３】
ツールボディは、ツールボディに形成されたクーラントチャネルを含む。当該クーラントチャネルは、したがって、内部クーラントチャネルである。
【００２４】
クーラントチャネルは、好ましくは、後端に連通するクーラントチャネル入口と、インサートシートの第１の面に形成されたクーラントチャネル出口と、の間を伸長する。
【００２５】
クーラントチャネル出口は、好ましくは、断面図において、円形、又は、実質的に円形であり、好ましくは、０．５から３ｍｍの直径を有する。
【００２６】
クーラントチャネル出口は、好ましくは、旋削インサートの側面の反対側、又は、実質的に反対側に配置されている。
【００２７】
クーラントチャネル出口は、旋削インサートの側面と、インサートシートの第１の面と、の間のボイド、又は、キャビティ、又は、ギャップに連通する。換言すると、第１の面の一部位と、第１の面に対向する、旋削インサートの側面の一部位と、の間には、ギャップがある。当該ボイドは、したがって、旋削インサートの側面と、インサートシートの側面の第１の面と、の間に配置されている。
【００２８】
クーラントチャネル出口は、クーラントストリームを、旋削インサートの側面へ向け、当該クーラントストリームが、インサートシートの第１の面へそれるよう配置されている。換言すると、第１の面に対向する、旋削インサートの側面は、クーラントストリームを、第１の面へそらし、当該クーラントストリームがクーラントチャネル出口から出るよう配置されている。
【００２９】
当該ボイドは、出口を含む。当該ボイドは、好ましくは、前端に連通する。換言すると、当該ボイドは、好ましくは、当該クーラントストリームの少なくとも一部が、ボイドを、後端から離れる方向へ出るよう開いている。
【００３０】
１つの実施形態によると、クーラントチャネル出口は、第１の面に、部分的に、又は、完全に形成されている。
【００３１】
そのような切削ツールにより、発明者達は、ツールボディの変形のリスクがさらに減ることを見いだした。
【００３２】
１つの実施形態によると、チャネル出口は、旋削インサートの側面から、０．１から２．０ｍｍである距離分だけ離れている。
【００３３】
そのような切削ツールにより、発明者達は、ツールボディの変形のリスクがさらに減ることを見いだした。
【００３４】
１つの実施形態によると、インサートシートの側面は、第３の面を含み、第１の面が、第３の面に対向している。
【００３５】
そのような切削ツールにより、金属ワークピースの回転軸に鉛直し、それから離れる旋削における性能が改善される。なぜなら、第３の面が、そのような加工方向のための接触面を含み得るからである。
【００３６】
第１の面は、上面図において、好ましくは、第３の面に平行、又は、実質的に平行である。
【００３７】
１つの実施形態によると、接触面から、旋削インサートの上面までの距離は、接触面から、旋削インサートの底面までの距離より短い。
【００３８】
換言すると、旋削インサートの上面までの接触面は、接触面から、旋削インサートの底面までの距離より短い。
【００３９】
１つの実施形態によると、接触面は、ボイドに隣り合う。
【００４０】
そのような切削ツールにより、接触面の摩耗をさらに減らすことができる。
【００４１】
１つの実施形態によると、クーラントチャネル出口から、旋削インサートの底面までの距離は、クーラントチャネル出口から、旋削インサートの上面までの距離より短い。
【００４２】
好ましくは、クーラントチャネル出口は、旋削インサートの底面を含む平面と交差する。
【００４３】
１つの実施形態によると、縦方向軸から、第１の面までの距離は、縦方向軸から、第２及び第３の面のそれぞれまでの距離より長く、クーラントチャネル出口は、第１の面に形成されている。
【００４４】
１つの実施形態によると、クーラントチャネル出口は、クーラントストリームを、後端から離れ、インサートシートの底面から離れる方向へ向けるよう配置されている。
【００４５】
そのような旋削ツールにより、旋削インサートの有効なノーズ部の温度が下がり、したがって、旋削ツールを使用できる時間が延びる。
【００４６】
換言すると、クーラントチャネル出口は、クーラントストリームを、前方方向及び上方方向へ向けるよう配置されており、旋削インサートの上面は、旋削インサートの底面の上にある。
【００４７】
１つの実施形態によると、旋削ツールは、シムを含み、インサートシートの底面は、シムの上面により画定される。
【００４８】
旋削ツールは、したがって、シム又はシッププレートを含む。当該シムは、旋削インサートの底面と、ツールボディと、の間に配置されている。シムの底面は、ツールボディと接触する。
【００４９】
旋削インサート及びシムは双方とも、ツールボディのキャビティ又は切り欠き内に配置されている。
【００５０】
シムは、好ましくは、焼結炭化物製である。
【００５１】
１つの実施形態によると、旋削インサートは、その中心軸を中心に、対称、又は、実質的に対称に配置されており、当該中心軸は、上面及び底面と交差し、縦方向軸から、インサートシートの第１の面までの距離は、縦方向軸から、旋削インサートの中心軸までの距離より長く、インサートシートの第１の面は、旋削インサートの中心軸に対向している。
【００５２】
旋削インサートは、当該中心軸を中心に対称に配置されおり、旋削インサートの上面が、上面図において、好ましくは、１２０°対称、又は、１８０°対称となるようになっている。
【００５３】
好ましくは、上面図において、縦方向軸から、クーラントチャネル出口までの距離は、縦方向軸から、旋削インサートの中心軸までの距離より長い。
【００５４】
１つの実施形態によると、ツールボディは、一部位を含み、その部位は、上面図において、その幅が、後端から離れる方向へ狭くなっているようにテーパ状となっており、当該部位の境界面は、インサートシートの第１の面である。
【００５５】
当該部位は、したがって、インサートシートの第１の面により画定された境界面により限定される。当該部位は、インサートシートの第１の面に向かい合う第２の境界面により限定される。縦方向軸から、インサートシートの第１の面までの距離は、縦方向軸から、当該第２の境界面までの距離より短い。
【００５６】
加工中、当該第２の境界面は、好ましくは、加工される金属ワークピースの回転軸に鉛直、又は、実質的に鉛直する。
【００５７】
１つの実施形態によると、旋削インサートの上面は、突起を含み、この突起は、旋削インサートの側面から離れており、旋削インサートの底面から、突起までの距離は、旋削インサートの底面から、旋削インサートの上面と側面との間の交差部までの距離より長い。
【００５８】
突起は、切り屑ブレーカ壁面を含む。
【００５９】
１つの実施形態によると、旋削方法は、上記の旋削ツールのいずれかを提供することと、金属ワークピースを提供することと、金属ワークピースを、その回転軸を中心に回すことと、旋削ツールの縦方向軸を、金属ワークピースの回転軸に鉛直に設定することと、クーラントを、クーラントチャネルに供給し、クーラントストリームが、クーラントチャネル出口から、旋削インサートの側面へ向けられるようにし、当該クーラントストリームが、インサートシートの第１の面へそれるようにすることと、旋削ツールを、回転軸に平行、又は、実質的に平行な方向へ動かし、加工された表面が、旋削インサートの一部位により形成され、旋削ツールの縦方向軸が、形成された加工された表面の前にあるようにすることと、を含む。
【００６０】
旋削ツールを、回転軸に平行、又は、実質的に平行な方向へ動かすことは、一般的に、送りとして知られ、インサートシートの第１の面が、送り方向へ対向しているようにする。旋削ツールを、回転軸に平行、又は、実質的に平行な方向へ動かすことは、旋削ツールの縦方向軸が、旋削インサートの有効なノーズ切削エッジの前にあるようにする。
【００６１】
加工された表面は、金属切削により形成される。切削は、好ましくは、連続的なものである。切削深さは、好ましくは、０．５から１０ｍｍ、さらにより好ましくは、１から３ｍｍである。送り速度は、好ましくは、０．６から１．２ｍｍ／回転である。切削速度は、好ましくは、１００から５００ｍ／ｍｉｎである。切削の長さは、好ましくは、２００ｍｍを超え、例えば、３００ｍｍ及び１０００ｍｍの間である。クーラント圧は、好ましくは、５バールを超える。
【００６２】
１つの実施形態によると、旋削方法は、旋削インサート（３）の切り込み角（α）を、少なくとも３°であるが、３０°を超えないよう設定することをさらに含む。
【００６３】
本発明の様々な実施形態、及び、添付の図面を参照して、本発明を、以下にさらに詳細に説明する。
【図面の簡単な説明】
【００６４】
【図１】図１は、第１の実施形態に係る旋削ツールを示す斜視図である。
【図２】図２は、図１の切削ツールのさらなる斜視図である。
【図３】図３は、図２の切削ツールの、旋削インサートのない斜視図である。
【図４】図４は、図３のインサートシートの拡大図である。
【図５】図５は、隠線に示すクーラントチャネル及び他の特徴のある、図１に示すツールボディの側面図である。
【図６】図６は、図５と同様であるが、隠線の無いものである。
【図７】図７は、図６に示すツールボディの前面図である。
【図８】図８は、隠線に示すクーラントチャネル及び他の特徴のある、図１に示す切削ツールの上面図である。
【図９】図９は、図８のＢ−Ｂ線に沿う断面図である。
【図１０】図１０は、図８のＣ−Ｃ線に沿う断面図である。
【図１１】図１１は、図１０の一セクションの拡大図である。
【図１２】図１２は、第２の実施形態に係る切削ツールを含む旋削方法を示す上面図である。
【図１３】図１３は、図１２の旋削インサートの斜視図である。
【００６５】
すべての旋削ツールの図は、縮尺して描かれている。
【発明を実施するための形態】
【００６６】
図１から図１１を参照する。これらは、ツールボディ２と、旋削インサート３と、シム１２と、を含む、第１の実施形態に係る旋削ツール１を示す。旋削インサート３は、インサートシート４に載置される。インサートシート４の底面５は、シム１２の上面により画定される。インサートシート４は、ツールボディ２により形成された側面６をさらに含む。図４に最良に見られるように、側面６は、第１の面１３と、第２の面１４と、第３の面１５（図４では隠れている）と、を含む。第１の面１３は、第３の面１５に対向しており、上面図において、図８に見られるように、第１の面１３は、第３の面１５に平行している。図８にさらに見られるように、第１及び第２の面は、１２５°の角度βを互いに対して形成する。
【００６７】
図６から図８に見られるように、縦方向軸Ａ１は、加工ツールへの接続に適した接続部を含む後端１６から、旋削ツール１の前端１７まで伸長する。縦方向軸Ａ１は、接続部の幾何学的中心軸である。インサートシート４は、前端１７へ向けて開いている。図９及び図１０は、図８のＢ−Ｂ線及びＣ−Ｃ線のそれぞれに沿う断面図を示す。
【００６８】
例えば、図１に見られるように、旋削インサート３は、上面７と、反対側の底面８と、上面及び底面７及び８を接続する側面９と、を含む。旋削インサート３の側面９は、上面７から底面８まで、途切れることなくつながっている。したがって、当該側面９へ向けられたクーラントストリームは、当該側面９から離れ、第１の面１３へそれる。
【００６９】
上面及び側面７及び９の間の交差部は、ノーズ切削エッジ２５を含む切削エッジを形成する。例えば、図１１に見られるように、旋削インサート３の底面８は、インサートシート４の底面５と接触し、インサートシート４の底面５は、シム１２の上面により画定される。図１１をさらに参照すると、第１の面１３は、旋削インサート３の側面９の一部位と接触する接触面１９を含む。接触面１９から、旋削インサート３の上面７までの距離は、接触面１９から、旋削インサート３の底面８までの距離より短い。
【００７０】
第２の面１４は、旋削インサート３の側面９と接触する接触面を含む。
【００７１】
図５及び図８に見られるように、クーラントチャネル１０が、ツールボディ２内に形成されており、これは、クーラントフルードを、後端１６に形成されたクーラントチャネル入口２６から、クーラントチャネル出口１１まで届ける又は運ぶことに適している。クーラントチャネル出口１１は、第１の面１３に形成されている。
【００７２】
クーラントチャネル１０は、複数の、接続されたクーラントチャネルセクションを含む。クーラントチャネル出口１１は、一定の直径の円形断面を有する、真っ直ぐなクーラントチャネルセクションの終端である。
【００７３】
例えば、図４に見ることができるように、クーラントチャネル出口１１は、インサートシート４に連通する。図１１に見られるように、クーラントチャネル出口１１は、ボイド２４に連通しており、当該ボイド２４は、旋削インサート３の側面９と、インサートシート４の側面６の第１の面１３と、の間に形成されている。ボイド２４及びクーラントチャネル出口１１は、接触面１９の下にあり、旋削インサート３の上面及び底面７及び８は、上下をそれぞれ画定する。ボイド２４は、接触面１９まで伸長する。
【００７４】
例えば、図４に見られるように、ツールボディ２は、その幅が、後端１６から離れる方向へ狭くなっているように、図８のように、上面図において、テーパ状となっている部位２２を含む。当該部位２２の境界面は、インサートシート４の第１の面１３である。当該部位２２は、インサートシート４の第１の面１３に向かい合う第２の境界面により限定される。
【００７５】
ここで、図１２に注目する。これは、旋削方法を描く。第２の実施形態に係る旋削ツール１が提供される。旋削ツール１は、ツールボディ２と、図１３に詳細に示す旋削インサート３と、を含む。第１の実施形態に係る旋削ツールと、第２の実施形態に係る旋削ツールと、の間の主な違いは、第２の実施形態に係る旋削ツール１について、後端が、断面図において、正方形又は矩形である接続部を含むことである。
【００７６】
金属ワークピース２０は、その回転軸Ｒ１を中心に回っている。旋削ツール１の縦方向軸Ａ１は、金属ワークピース２０の回転軸Ｒ１に鉛直する。クーラントフルードが、クーラントチャネルへ、クーラントチャネル出口を経由して供給され、クーラントストリームが、クーラントチャネル出口から、旋削インサートの側面へ向けられるようになっており、当該クーラントストリームが、インサートシートの第１の面へそれるようになっている。
【００７７】
旋削ツールは、切削をはじめるよう設定される。旋削ツール１は、回転軸Ｒ１に平行な方向へ、図１２の右側へ向けて動かされ、旋削ツール１の縦方向軸Ａ１が、加工された表面２１を形成する、旋削インサート３のノーズ切削エッジ２５の前にあるようになる。
【００７８】
縦方向軸Ａ１から、第１の面１３までの距離は、縦方向軸Ａ１から、第２及び第３の面１４及び１５のそれぞれまでの距離より長い。旋削方法は、旋削インサート３の切り込み角αを、２５°前後に設定することを含む。
【００７９】
ここで、図１３に注目する。第１の実施形態に係る旋削ツールに見られる旋削インサートと実質的に同様の旋削インサート３は、その中心軸Ａ２を中心に、１８０°対称である。当該中心軸Ａ２は、上面及び底面７及び８と交差し、クランピングスクリュのための孔と同心円をなす。旋削インサート３の上面７は、突起２３を含む。当該突起２３は、旋削インサート３の側面９から離れており、切り屑ブレーカ壁を含む。
【図１】
2021517072.tif 000003
【図２】
2021517072.tif 000004
【図３】
2021517072.tif 000005
【図４】
2021517072.tif 000006
【図５】
2021517072.tif 000007
【図６】
2021517072.tif 000008
【図７】
2021517072.tif 000009
【図８】
2021517072.tif 000010
【図９】
2021517072.tif 000011
【図１０】
2021517072.tif 000012
【図１１】
2021517072.tif 000013
【図１２】
2021517072.tif 000014
【図１３】
2021517072.tif 000015
【国際調査報告】
2021517072.tif 000016
2021517072.tif 000017
2021517072.tif 000018
2021517072.tif 000019